(57)【要約】【課題】退避領域を設けることなく無効となる用紙を削減することができる画像形成システムを提供する。【解決手段】画像形成システム１は、画像形成部と、画像読取部と、後処理部と、制御部と、を備えている。制御部は、用紙の画像不良を検出した際、ヤレ紙から第１用紙束の束区切りまでの枚数が、ヤレ紙から最終紙までの枚数よりも少ない場合、最終紙を含む用紙束まで束作成処理を継続して行う。その後に、制御部は、ヤレ紙を含む用紙束分の部数をジョブ情報により要求された残り部数に加えて復帰動作を開始する。【選択図】図７
2020059240.tif 000002
【特許請求の範囲】
【請求項１】
ジョブ情報に基づいて、用紙に画像を形成する画像形成部と、
前記画像形成部により前記用紙に形成された画像を読み取る画像読取部と、
前記画像読取部よりも前記用紙の搬送方向の下流側に配置され、所定枚数の前記用紙が束ねて構成された用紙束に対して後処理を行う後処理部と、
前記画像読取部からの画像読取結果情報に基づいて、前記用紙に画像不良が発生したか否かを判定し、検出する制御部と、を備え、
前記制御部は、前記用紙の画像不良を検出した際、画像不良が発生した用紙であるヤレ紙から当該ヤレ紙を含む用紙束である第１用紙束における次の部の用紙束との区切りとなる束区切りまでの枚数が、前記ヤレ紙から前記画像形成部での処理が予約済みの用紙のうち搬送方向の最上流の用紙である最終紙までの枚数よりも少ない場合、前記最終紙を含む用紙束まで束作成処理を継続して行った後に、前記ヤレ紙を含む用紙束分の部数を前記ジョブ情報により要求された残り部数に加えて復帰動作を開始する
画像形成システム。
【請求項２】
前記制御部は、前記最終紙を含む用紙束まで束作成処理を継続して行う際に、前記ヤレ紙から、前記第１用紙束の次の部の用紙束である第２用紙束において前記ヤレ紙に相当するページの前のページまでの用紙を、後処理を行う箇所とは異なる箇所に排出させ、前記第２用紙束における前記ヤレ紙に相当するページの用紙から前記後処理部に搬送する
請求項１に記載の画像形成システム。
【請求項３】
前記制御部は、前記最終紙を含む用紙束まで束作成処理を継続して行う際に、前記ヤレ紙を含む第１用紙束も加えて前記後処理部に搬送する
請求項１に記載の画像形成システム。
【請求項４】
前記制御部は、前記第１用紙束における前記後処理部での後処理を、前記ヤレ紙を含まない正常な用紙束と異なる処理を行うように前記後処理部に指示をする
請求項３に記載の画像形成システム。
【請求項５】
前記制御部は、前記用紙の画像不良を検出した際、前記ヤレ紙から前記第１用紙束の束区切りまでの枚数が、前記ヤレ紙から前記最終紙までの枚数よりも多い場合、前記ヤレ紙を含めて前記予約済みの用紙を、後処理を行う箇所とは異なる箇所に排出させた後に、前記ヤレ紙に相当するページから前記ジョブ情報により要求された残り部数の作成する前記復帰動作を開始する
請求項１〜４のいずれか１項に記載の画像形成システム。
【請求項６】
前記制御部は、
前記復帰動作を自動で開始する自動パターンと、前記復帰動作をユーザーによる手動で開始する手動パターンと、を有している
請求項１〜５のいずれか１項に記載の画像形成システム。
【請求項７】
前記制御部は、前記自動パターンと前記手動パターンを前記ジョブ情報の残り部数に応じて切り替える
請求項６に記載の画像形成システム。
【発明の詳細な説明】
【技術分野】
【０００１】
本発明は、用紙に画像を形成し、複数の用紙を束ねて構成された用紙束を作成する画像形成システムに関する。
【背景技術】
【０００２】
画像形成システムは、用紙に画像を形成する画像形成装置と、この画像形成装置に用紙を供給する用紙供給装置とを備えている。そして、画像形成装置では、出力されたジョブ情報に基づいて、用紙に画像を形成する。また、近年では、画像形成装置で画像が形成された用紙の画像を読み取る画像読取部を設け、不良画像の有無の判断を行う画像形成システムが提案されている。
【０００３】
不良画像の有無の判断を行う技術としては、例えば、特許文献１に記載されているようなものがある。特許文献１には、複数数ページで構成されるジョブを複数部印刷する場合に、欠陥印刷物が検出されるまでは各部のページ順の印刷を交互に行い、各部の正常印刷物を複数の排紙トレイに振り分けて搬送する技術が記載されている。また、特許文献１には、欠陥印刷物が検出されると、欠陥印刷物を廃棄トレイに搬送し、欠陥印刷物に後続する印刷済みの正常印刷物を退避領域に退避させて、欠陥印刷物と同じページを再印刷するまでの間、欠陥印刷物が検出されていない部のページ順の印刷を継続することが記載されている。
【先行技術文献】
【特許文献】
【０００４】
【特許文献１】特開２０１５−１２０２６４号公報
【発明の概要】
【発明が解決しようとする課題】
【０００５】
しかしながら、特許文献１に記載された技術では、用紙に画像不良が発生した際に、機内に残留する正常な用紙を退避させるための退避領域が必要となっていたため、画像形成システム全体の構成が煩雑なものとなっていた。
【０００６】
本発明は、上述のような従来の問題点に鑑み、退避領域を設けることなく画像不良が発見された際に無効となる用紙を削減することができる画像形成システムを提供することを目的とする。
【課題を解決するための手段】
【０００７】
上記課題を解決し、本発明の目的を達成するため、画像形成システムは、ジョブ情報に基づいて、用紙に画像を形成する画像形成部と、画像読取部と、後処理部と、制御部と、を備えている。画像形成装置は、ジョブ情報に基づいて、用紙に画像を形成する。画像読取部は、画像形成部により用紙に形成された画像を読み取る。後処理部は、画像読取部よりも用紙の搬送方向の下流側に配置され、所定枚数の用紙が束ねて構成された用紙束に対して後処理を行う。制御部は、画像読取部からの画像読取結果情報に基づいて、用紙に画像不良が発生したか否かを判定し、検出する。
制御部は、用紙の画像不良を検出した際、画像不良が発生した用紙であるヤレ紙から当該ヤレ紙を含む用紙束である第１用紙束における次の部の用紙束との区切りとなる束区切りまでの枚数が、ヤレ紙から画像形成部での処理が予約済みの用紙のうち搬送方向の最上流の用紙である最終紙までの枚数よりも少ない場合、最終紙を含む用紙束まで束作成処理を継続して行った後に、ヤレ紙を含む用紙束分の部数をジョブ情報により要求された残り部数に加えて復帰動作を開始する。
【発明の効果】
【０００８】
上記構成の画像形成システムによれば、避領域を設けることなく無効となる用紙を削減することができる。
【図面の簡単な説明】
【０００９】
【図１】本発明の実施の形態例にかかる画像形成システムの全体構成を示す概略構成図である。
【図２】本発明の実施の形態例にかかる画像形成システムのハードウエア構成を示すブロック図である。
【図３】本発明の実施の形態例にかかる画像形成システムにおける情報の通知状態を示す説明図である。
【図４】本発明の実施の形態例にかかる画像形成システムにおける画像形成用紙搬送制御を示すフローチャートである。
【図５】本発明の実施の形態例にかかる画像形成システムにおけるリカバリ動作（復帰動作）時の画像形成用紙搬送制御を示すフローチャートである。
【図６】本発明の実施の形態例にかかる画像形成システムにおける第１の画像読取結果受信制御を示すフローチャートである。
【図７】第１の画像読取結果受信制御における第１パターンを示す説明図である。
【図８】第１の画像読取結果受信制御における第２パターンを示す説明図である。
【図９】本発明の実施の形態例にかかる画像形成システムにおける第２の画像読取結果受信制御を示すフローチャートである。
【図１０】第２の画像読取結果受信制御における第１パターンを示す説明図である。
【図１１】本発明の実施の形態例にかかる画像形成システムにおけるヤレ束と正常束に行う後処理の一例を示す説明図であり、図１１Ａは正常束を示し、図１１Ｂは、ヤレ束を示している。
【図１２】本発明の実施の形態例にかかる画像形成システムにおけるヤレ束と正常束に行う後処理の他の例を示す説明図であり、図１２Ａは正常束を示し、図１２Ｂは、ヤレ束を示している。
【図１３】本発明の実施の形態例にかかる画像形成システムにおける操作表示パネルに表示される表示例を示す説明図である。
【図１４】本発明の実施の形態例にかかる画像形成システムにおけるリカバリ動作（復帰動作）パターンの決定判断処理を示すフローチャートである。
【図１５】本発明の実施の形態例にかかる画像形成システムにおけるガイダンスメッセージ例を示す説明図である。
【発明を実施するための形態】
【００１０】
以下に、本発明の画像形成システムを実施するための形態について、図１〜図１５を参照しながら説明する。なお、各図において共通の部材には、同一の符号を付している。また、本発明は、以下の形態に限定されるものではない。
【００１１】
１．実施の形態例
１−１．画像形成システムの構成
まず、本発明の実施の形態例（以下、「本例」という。）にかかる画像形成システムの全体構成について説明する。図１は、本例の画像形成システム１の概略構成図である。
【００１２】
図１に示すように、画像形成システム１は、用紙Ｓを給紙する大容量給紙ユニット１０と、画像形成装置２０と、画像読取装置３０と、ヤレ紙排出装置４０と、後処理装置５０とを有している。大容量給紙ユニット１０、画像形成装置２０、画像読取装置３０、ヤレ紙排出装置４０及び後処理装置５０は、それぞれＬＡＮ等のネットワークに接続され、ネットワークを介して相互に接続されている。また、画像形成システム１は、用紙Ｓの搬送経路の上流側から、大容量給紙ユニット１０、画像形成装置２０、画像読取装置３０、ヤレ紙排出装置４０及び後処理装置５０の順に並べて配置され、直列的に連なって接続されている。
【００１３】
大容量給紙ユニット１０は、画像形成システム１の最上流に配置されている。複数の給紙トレイを備え、大量の用紙を収納可能に構成されている。大容量給紙ユニット１０は、給紙トレイに収納された用紙Ｓを用紙搬送部１３０（図２参照）により画像形成装置２０に給紙する。
【００１４】
画像形成装置２０は、出力されたジョブ情報及び画像データに基づいて、給紙された用紙Ｓに対して画像を形成する。また、画像形成装置２０は、例えば電子写真方式により用紙Ｓに画像を形成する装置である。画像形成装置２０は、用紙搬送部２３０と、操作表示パネル２４０と、画像形成部２７０と、定着部２８０と、反転搬送部２９０とを備えている。
【００１５】
操作表示パネル２４０は、画像形成装置２０の筐体の上部に設置されている。操作表示パネル２４０は、表示パネルとタッチパネル（操作部）が重ねられた構成をしており、ユーザーによる操作及び情報の表示が可能となっている。
【００１６】
用紙搬送部２３０は、大容量給紙ユニット１０から給紙された用紙Ｓを、画像形成部２７０、定着部２８０、反転搬送部２９０や後述する画像読取装置３０に搬送する。
【００１７】
画像形成部２７０は、例えば、複数色（シアン、マゼンダ、イエロー、ブラック等）の画像形成ユニットを備え、用紙にカラーのトナー画像を形成することができる。画像形成部２７０の用紙搬送方向の下流側には、トナー画像が形成された用紙が搬送される定着部２８０が配置されている。
【００１８】
定着部２８０は、搬送された用紙Ｓを加圧及び加熱することにより、用紙Ｓに転写されたトナー画像を用紙Ｓに定着する。定着部２８０により定着処理が行われた用紙Ｓは、用紙搬送部２３０により、反転搬送部２９０又は画像読取装置３０に搬送される。
【００１９】
反転搬送部２９０は、用紙Ｓを反転させる反転部が設けられている。反転部により表裏又は前後が反転された用紙Ｓは、反転搬送部２９０を通って画像形成部２７０の上流側又は定着部２８０の下流側に搬送される。
【００２０】
画像読取装置３０は、画像形成装置２０から搬送される用紙Ｓに形成された画像を読み取る装置である。画像読取装置３０は、用紙を搬送する用紙搬送部３３０と、画像を読み取る画像読取部３６０とを有している。画像読取部３６０は、用紙搬送部３３０の上方及び下方において配置されている。そして、画像読取部３６０は、用紙搬送部３３０によって搬送された用紙Ｓを、光学的に走査して用紙Ｓに形成された情報（画像）を読み取り、読取画像データを生成する。
【００２１】
また、用紙搬送部３３０は、画像形成部２７０から排出された用紙Ｓを、画像読取部３６０を通過して、ヤレ紙排出装置４０まで搬送する。
【００２２】
ヤレ紙排出装置４０は、画像読取装置３０から搬送された用紙Ｓを中継して、後処理装置５０へ搬送する装置である。ヤレ紙排出装置４０は、用紙搬送部４３０と、パージトレイ４６０とを有している。パージトレイ４６０には、後述する制御部２００（図３参照）により画像不良ありと判断された判断された用紙Ｓ、いわゆるヤレ紙が排出される。用紙搬送部４３０は、用紙Ｓを、パージトレイ４６０又は下流側に配置された後処理装置５０に搬送する。
【００２３】
後処理装置５０は、ヤレ紙排出装置４０から搬送された複数枚の用紙Ｓに対して後処理を行う装置である。後処理装置５０としては、例えば、用紙Ｓに対してステープル処理を行うステープル処理装置や、パンチを行うパンチ処理装置、用紙Ｓを複数枚束ねて冊子を作成する、いわゆる製本機等その他各種の後処理装置が適用される。
【００２４】
後処理装置５０は、用紙搬送部５３０と、スタック部５６０と、排出トレイ５８０と、サブトレイ５９０と、後処理部５７０（図２参照）を有している。スタック部５６０には、用紙搬送部５３０によって搬送された用紙Ｓが積載される。そして、処理枚数の用紙Ｓがスタック部５６０に積載されると、後処理部５７０によって用紙束に対して所定の後処理が行われる。そして、後処理部５７０によって後処理が行われた用紙束は、排出トレイ５８０に排出される。
【００２５】
サブトレイ５９０は、後処理装置５０の筐体の上部に配置されている。このサブトレイ５９０には、ヤレ紙排出装置４０のパージトレイ４６０と同様に、ヤレ紙が排出される。
【００２６】
１−２．各装置のハードウエア構成
次に、図２及び図３を参照して各装置のハードウエア構成について説明する。
図２は、画像形成システムの各装置のハードウエア構成を示すブロック図である。図３は、ヤレ紙検出時の情報の通知状態を示す説明図である。
【００２７】
まず、大容量給紙ユニット１０のハードウエア構成について説明する。
図２に示すように、大容量給紙ユニット１０は、制御部１００と、通信部１１０、１２０と、用紙搬送部１３０と、メモリ１５０とを備えている。
【００２８】
制御部１００は、例えばＣＰＵ（Central Processing Unit）を有している。制御部１００は、通信部１１０、１２０、用紙搬送部１３０、メモリ１５０にシステムバスを介して接続され、大容量給紙ユニット１０全体を制御する。
【００２９】
メモリ１５０は、ＲＡＭ等の揮発性メモリ又は大容量の不揮性メモリである。メモリ１５０には、制御部１００が実行するプログラム等が格納されており、また制御部１００の作業領域として使用される。
【００３０】
通信部１１０は、画像形成システム１の外部装置（クライアント端末、管理装置サーバ等や、モバイル端末）とデータの送信及び受信を行う。また、通信部１２０は、画像形成装置２０の通信部２１０とデータの送信及び受信を行う。
【００３１】
次に、画像形成装置２０のハードウエア構成について説明する。
画像形成装置２０は、制御部２００と、通信部２１０、２２０と、用紙搬送部２３０、操作表示パネル２４０、メモリ２５０、画像処理部２６０、画像形成部２７０、定着部２８０、反転搬送部２９０を備えている。
【００３２】
制御部２００は、例えばＣＰＵ（Central Processing Unit）を有している。制御部２００は、通信部２１０、２２０、用紙搬送部２３０、操作表示パネル２４０、メモリ２５０、画像処理部２６０、画像形成部２７０、定着部２８０、反転搬送部２９０にシステムバスを介して接続され、画像形成装置２０全体を制御する。また、制御部２００は、通信部２１０、２２０を介して、大容量給紙ユニット１０、画像読取装置３０、ヤレ紙排出装置４０及び後処理装置５０を制御する。すなわち、本例では、制御部２００が画像形成システム１全体を制御する。
【００３３】
また、図３に示すように、制御部２００は、画像読取装置３０から画像読取結果情報を受信する。そして、制御部２００は、画像読取結果情報に基づいて、用紙の正常／以上を判定し、判定結果に基づいて、各装置を制御し、排出指示を出力する。また、制御部２００は、画像読取結果情報に基づいて、後述する画像形成用紙搬送制御や、画像読取結果受信制御を行う。さらに、制御部２００は、後述する後処理装置５０から排出結果通知を受信する。
【００３４】
メモリ２５０は、ＲＡＭ等の揮発性メモリ又は大容量の不揮性メモリである。メモリ２５０には、制御部２００が実行するプログラム等が格納されており、また制御部２００の作業領域として使用される。また、メモリ２５０には、ヤレ紙を含む用紙束であるヤレ束の数がカウントされる。
【００３５】
通信部２１０は、大容量給紙ユニット１０の通信部１２０とデータの送信及び受信を行う。また、通信部２２０は、画像読取装置３０の通信部３１０とデータの送信及び受信を行う。なお、通信部２１０、２２０は、画像形成システム１の外部装置ともデータの送信及び受信を行う。
【００３６】
画像処理部２６０は、外部から入力されたジョブ情報から画像データを取得し、画像処理を行う。画像処理部２６０は、制御部２００の制御のもと、受信した画像データに対し、必要に応じて、シェーディング補正、画像濃度調整、画像圧縮等の画像処理を行う。そして、画像処理部２６０によって処理された画像データは、画像形成部２７０に送信される。画像形成部２７０は、画像処理部２６０によって画像処理された画像データを受け取り、画像データに基づいて用紙Ｓの上に画像を形成する。
【００３７】
操作表示パネル２４０は、液晶表示装置（ＬＣＤ）又は有機ＥＬＤ（Electro Luminescence Display）等のディスプレイからなるタッチパネルである。この操作表示パネル２４０は、出力部及び入力部の一例であり、ユーザーに対する指示メニューや取得した画像データに関する情報等を表示する。さらに、操作表示パネル２４０は、複数のキーを備え、ユーザーのキー操作による各種の指示、文字、数字などのデータの入力を受け付けて、入力信号を制御部２００に出力する。
【００３８】
次に、画像読取装置３０のハードウエア構成について説明する。
画像読取装置３０は、制御部３００と、通信部３１０、３２０と、用紙搬送部３３０と、画像読取部３６０と、メモリ３５０と、を備えている。
【００３９】
制御部３００は、例えばＣＰＵ（Central Processing Unit）を有している。制御部３００は、通信部３１０、３２０、用紙搬送部３３０、メモリ３５０、画像読取部３６０にシステムバスを介して接続され、画像読取装置３０全体を制御する。
【００４０】
メモリ３５０は、ＲＡＭ等の揮発性メモリ又は大容量の不揮性メモリである。メモリ３５０には、制御部３００が実行するプログラム等が格納されており、また制御部３００の作業領域として使用される。
【００４１】
通信部３１０は、画像形成装置２０の通信部２２０とデータの送信及び受信を行う。そして、図３に示すように、通信部３１０は、画像読取部３６０が読み取った画像読取結果情報を画像形成装置２０の通信部２２０に送信する。さらに、通信部３１０は、画像形成装置２０から画像判定結果を、通信部２２０を介して受信する。また、通信部３２０は、ヤレ紙排出装置４０の通信部４１０とデータの送信及び受信を行う。
【００４２】
次に、ヤレ紙排出装置４０のハードウエア構成について説明する。
ヤレ紙排出装置４０は、制御部４００と、通信部４１０、４２０と、用紙搬送部４３０と、メモリ３５０と、パージトレイ４６０と、を備えている。
【００４３】
制御部４００は、例えばＣＰＵ（Central Processing Unit）を有している。制御部４００は、通信部４１０、４２０、用紙搬送部４３０、メモリ４５０、パージトレイ４６０にシステムバスを介して接続され、ヤレ紙排出装置４０全体を制御する。
【００４４】
メモリ４５０は、ＲＡＭ等の揮発性メモリ又は大容量の不揮性メモリである。メモリ４５０には、制御部４００が実行するプログラム等が格納されており、また制御部４００の作業領域として使用される。
【００４５】
通信部４１０は、画像読取装置３０の通信部３２０とデータの送信及び受信を行う。そして、図３に示すように、通信部４１０は、画像形成装置２０から排出指示情報を、通信部２２０、３２０を介して受信する。そして、制御部４００は、受信した排出指示情報に基づいて、用紙搬送部４３０を制御し、用紙Ｓを後処理装置５０又はパージトレイ４６０に搬送する。また、通信部４２０は、後処理装置５０の通信部５１０とデータの送信及び受信を行う。
【００４６】
次に、後処理装置５０のハードウエア構成について説明する。
後処理装置５０は、制御部５００と、通信部５１０、５２０と、用紙搬送部５３０と、メモリ５５０と、スタック部５６０と、後処理部５７０と、排出トレイ５８０、サブトレイ５９０と、を備えている。
【００４７】
制御部５００は、例えばＣＰＵ（Central Processing Unit）を有している。制御部５００は、通信部５１０、５２０、用紙搬送部５３０、メモリ５５０、スタック部５６０、後処理部５７０、排出トレイ５８０、サブトレイ５９０にシステムバスを介して接続され、後処理装置５０全体を制御する。
【００４８】
メモリ５５０は、ＲＡＭ等の揮発性メモリ又は大容量の不揮性メモリである。メモリ５５０には、制御部５００が実行するプログラム等が格納されており、また制御部５００の作業領域として使用される。
【００４９】
通信部５１０は、ヤレ紙排出装置４０の通信部４２０とデータの送信及び受信を行う。そして、図３に示すように、通信部５１０は、画像形成装置２０から排出指示情報を、通信部２２０、３２０、４２０を介して受信する。そして、制御部５００は、受信した排出指示情報に基づいて、後処理部５７０を制御する。さらに、制御部５００は、受信した排出指示情報に基づいて、用紙搬送部５３０を制御し、用紙Ｓをスタック部５６０、排出トレイ５８０やサブトレイ５９０に搬送する。また、通信部５１０は、排出結果を、画像形成装置２０に送信する。
【００５０】
後処理部５７０は、制御部５００の指示に基づいて、スタック部５６０に積載された用紙束に対して所定の後処理を実施する。
【００５１】
２．動作例
次に、上述した構成を有する画像形成システム１の動作例について図４〜図１２を参照して説明する。なお、後述する動作例では、用紙Ｓを複数枚束ねて用紙束を形成し、この用紙束を複数部形成するジョブについて説明する、
【００５２】
２−１．ジョブの実施及び搬送動作
［画像形成用紙搬送制御］
まず、図４を参照してジョブの実施及び搬送動作、すなわち画像形成用紙搬送制御について説明する。
図４は、画像形成用紙搬送制御を示すフローチャートである。
【００５３】
図４に示すように、画像形成装置２０の制御部（以下、単に「制御部」という）２００は、外部装置からジョブ情報が入力されると、入力されたジョブ情報を各装置１０、３０、４０、５０に送信する。そして、画像形成システム１は、入力されたジョブ情報に基づいたジョブを開始する（ステップＳ１１）。次に、制御部２００は、ジョブ情報に基づいて、用紙搬送部２３０や画像形成部２７０や、各装置１０、３０、４０、５０を制御し、画像形成及び用紙の搬送排出動作を実施する（ステップＳ１２）。
【００５４】
また、制御部２００は、画像読取装置３０から画像読取結果情報を受信し、画像判定を行う。なお、画像読取結果受信時の詳細な動作については、後述する。そして、制御部２００が、現在の状態がヤレ紙を検出したヤレ検出済み状態であるか否かを判断する（ステップＳ１３）。
【００５５】
ステップＳ１３の処理において、制御部２００が現在の状態がヤレ検出済み状態ではないと判断した場合（ステップＳ１３のＹＥＳ判定）、制御部２００は、用紙束の最終ページが排出されたか否かを判断する（ステップＳ１４）。ステップＳ１４の処理において、制御部２００は、用紙束の最終ページが排出されていないと判断した場合（ステップＳ１４のＮＯ判定）、制御部２００は、ステップＳ１２の処理に戻り、ジョブを継続させる。
【００５６】
また、ステップＳ１４の処理において、制御部２００が用紙束の最終ページが排出されたと判断した場合、ジョブの最終部の処理が完了、すなわち入力されたジョブの指定部数の処理が完了した否かを判断する（ステップＳ１５）。ステップＳ１５の処理において、最終部の処理が完了していないと制御部２００が判断した場合（ステップＳ１５のＮＯ判定）、制御部２００は、ステップＳ１２の処理に戻り、ジョブを継続させる。また、ステップＳ１５の処理において、最終部の処理が完了したと制御部２００が判断した場合（ステップＳ１５のＹＥＳ判定）、制御部２００は、ジョブを終了させる。
【００５７】
また、ステップＳ１３の処理において、制御部２００が現在の状態がヤレ検出済み状態であると判断した場合（ステップＳ１３のＮＯ判定）、制御部２００は、ヤレ検出時に設定される最終排出ページＳ２（図７、図８、図１０参照）が排出されたか否かを判断する（ステップＳ１６）。なお、ステップＳ１６の処理で用いられる最終排出ページＳ２の設定処理については、後述する。
【００５８】
ステップＳ１６の処理において、最終排出ページＳ２がまだ排出されていないと制御部２００が判断した場合（ステップＳ１６のＮＯ判定）、制御部２００は、ステップＳ１２の処理に戻り、ジョブを継続させる。また、ステップＳ１６の処理において、最終排出ページＳ２が排出されたと制御部２００が判断した場合（ステップＳ１６のＹＥＳ判定）、ヤレ検出時の搬送処理を停止させた後、後述する図５に示す復帰時、いわゆるリカバリ時の処理に移行する。
【００５９】
［画像形成用紙搬送制御（リカバリ動作時）］
次に、リカバリ動作時における画像形成用紙搬送制御について図５を参照して説明する。
図５は、リカバリ動作時の画像形成用紙搬送制御を示すフローチャートである。
図５に示すように、ヤレ検出時の搬送処理が停止した後、制御部２００は、設定されたリカバリページＳ１（図７、図８、図１０参照）からリカバリ動作を実施する（ステップＳ２１）。ステップＳ２１の処理で用いられるリカバリページＳ１の設定処理については、後述する。
【００６０】
次に、制御部２００は、ジョブ情報に基づいて、画像形成及び用紙の搬送排出動作を実施する（ステップＳ２２）。また、制御部２００は、画像読取装置３０から画像読取結果情報を受信し、画像判定を行う。そして、制御部２００が、現在の状態がヤレ紙を検出したヤレ検出済み状態であるか否かを判断する（ステップＳ２３）。このように、ステップＳ２３の処理を行うことで、リカバリ時に再度ヤレ紙が発生したか否かを判断することができる。
【００６１】
ステップＳ２３の処理において、制御部２００が現在の状態がヤレ検出済み状態ではないと判断した場合（ステップＳ２３のＹＥＳ判定）、制御部２００は、用紙束の最終ページが排出されたか否かを判断する（ステップＳ２４）。ステップＳ１２の処理において、制御部２００は、用紙束の最終ページが排出されていないと判断した場合（ステップＳ２４のＮＯ判定）、制御部２００は、ステップＳ２２の処理に戻り、ジョブを継続させる。
【００６２】
また、ステップＳ２４の処理において、制御部２００が用紙束の最終ページが排出されたと判断した場合、ジョブの最終部の処理が完了した否かを判断する（ステップＳ２５）。なお、リカバリ時のステップＳ２５の処理では、入力されたジョブの指定部数に、画像形成装置２０のメモリ２５０にカウントされたヤレ束Ｑ１（図７及び図１０参照）の部数を加えて判断する。なお、ヤレ束Ｑ１については、後述する。
【００６３】
ステップＳ２５の処理において、最終部の処理が完了していないと制御部２００が判断した場合（ステップＳ２５のＮＯ判定）、制御部２００は、ステップＳ２２の処理に戻り、ジョブを継続させる。また、ステップＳ２５の処理において、最終部の処理が完了したと制御部２００が判断した場合（ステップＳ２５のＹＥＳ判定）、制御部２００は、ジョブを終了させる。
【００６４】
また、ステップＳ２３の処理において、制御部２００が現在の状態がヤレ検出済み状態であると判断した場合（ステップＳ２３のＮＯ判定）、制御部２００は、ヤレ検出時に設定される最終排出ページＳ２が排出されたか否かを判断する（ステップＳ２６）。
【００６５】
ステップＳ２６の処理において、最終排出ページＳ２がまだ排出されていないと制御部２００が判断した場合（ステップＳ２６のＮＯ判定）、制御部２００は、ステップＳ２２の処理に戻り、ジョブを継続させる。また、ステップＳ２６の処理において、最終排出ページＳ２が排出されたと制御部２００が判断した場合（ステップＳ２６のＹＥＳ判定）、ヤレ検出時の搬送処理を停止させた後、再び、図５に示すリカバリ時の処理を実施する。
【００６６】
２−２．画像読取結果受信時の動作例
次に、図６〜図１２を参照して画像読取結果受信時の動作、すなわち画像読取結果受信制御について説明する。
［第１の動作例］
まず、図６〜図８を参照して第１の動作例について説明する。
図６は、第１の画像読取結果受信制御を示すフローチャートである。図７は、第１の画像読取結果受信制御における第１パターンを示す説明図、図８は、第１の画像読取結果受信制御における第２パターンを示す説明図である。
【００６７】
図６に示すように、まず、制御部２００は、画像読取装置３０から画像読取結果情報を受信する（ステップＳ３１）。次に、画像読取結果情報に基づいて、制御部２００は、現在の用紙Ｓの画像判定を行う（ステップＳ３２）。ステップＳ３２の画像判定の結果がＯＫであるか否か、すなわち用紙Ｓに画像不良が発生している（ＮＧ）か、画像不良が発生していない（ＯＫ）か否かを判断する（ステップＳ３３）。
【００６８】
ステップＳ３３の処理において、制御部２００は、ＯＫであると判断した場合（ステップＳ３３のＹＥＳ判定）、後述するステップＳ３８の処理を行う。
【００６９】
また、ステップＳ３３の処理において、制御部２００は、ＯＫでないと判断した場合（ステップＳ３３のＮＯ判定）、用紙Ｓに画像不良が発生し、ヤレ紙Ｓ３が発生していると判断する。以下、画像不良が発生した用紙をヤレ紙Ｓ３という。そして、制御部２００は、ヤレ検出状態済み状態をセットし、画像不良が発生したヤレ紙Ｓ３のページ及びヤレ紙Ｓ３を含む用紙束の部をメモリ２５０に記憶する（ステップＳ３４）。
【００７０】
次に、制御部２００は、ヤレ紙Ｓ３から、ヤレ紙Ｓ３を含む用紙束である第１用紙束における次の用紙束との区切りとなる束区切りまでの残枚数Ｋと、機内搬送残枚数Ｔをカウントする。機内搬送残枚数Ｔは、ヤレ紙Ｓ３よりも搬送方向の上流側、すなわち、ヤレ紙Ｓ３から画像形成システム１の搬送路に残る用紙Ｓまでの枚数である。また、機内搬送残枚数Ｔは、画像形成装置２０での処理が予約済みの用紙Ｓの枚数である。
【００７１】
そして、制御部２００は、第１用紙束の束区切りまでの残り枚数Ｋが機内搬送残枚数Ｔよりも少ない（Ｋ＜Ｔ）か否かを判断する（ステップＳ３５）。図７Ａに示す例では、５枚束作成のジョブであり、機内搬送残枚数Ｔが９枚である例を示している。また、図７Ａに示すように、１部目の３ページ目（１−３）にヤレ紙Ｓ３が発生した場合、束切りまでの残り枚数Ｋは、ヤレ紙Ｓ３である３ページ目（１−３）と、ヤレ紙Ｓ３を含む第１用紙束である１部目の４ページ目（１−４）及び５ページ目（１−５）の３枚となる。その結果、図７Ａに示す例では、制御部２００は、束区切りまでの残り枚数Ｋが機内搬送残枚数Ｔよりも少ない（Ｋ＜Ｔ）と判断する（ステップＳ３５のＹＥＳ判定）。
【００７２】
そして、制御部２００は、現機内搬送最終紙Ｓ４、すなわち予約済み用紙のうち最終紙を含む用紙束の部の最終ページを、最終排出ページＳ２に設定する（ステップＳ３６）。すなわち、図７Ａに示すように、現機内搬送最終紙Ｓ４、すなわち予約済み用紙のうち最上流の用紙は、３部目の１ページ目である。そして、図７Ｂに示すように、この現機内搬送最終紙Ｓ４を含む用紙束の３部目の最終ページ（３−５）が最終排出ページＳ２となる。この図７Ａ〜図７Ｃに示すパターンが第１パターンとなる。
【００７３】
また、制御部２００は、図７Ｃに示すように、図５のステップＳ２１の処理に用いるリカバリページＳ１を、ヤレ紙Ｓ３を含む第１用紙束の次の部（２部目）である第２用紙束の最初のページ（２−１）に設定する。
【００７４】
また、図８Ａに示す例では、１５枚束作成のジョブであり、機内搬送残枚数Ｔが９枚である例を示している。また、図８Ａに示すように、１部目の３ページ目（１−３）にヤレ紙Ｓ３が発生した場合、束区切りまでの枚数Ｋは、３ページ目から１５ページ目までの１３枚となる。その結果、図８Ａに示す例では、制御部２００は、束区切りまでの残り枚数Ｋが機内搬送残枚数Ｔよりも多い（Ｋ≧Ｔ）であると判断する（ステップＳ３５のＮＯ判定）。
【００７５】
そして、制御部２００は、現機内搬送最終紙Ｓ４、すなわち予約済み用紙における最終紙を、最終排出ページＳ２に設定する（ステップＳ３７）。すなわち、図８Ａに示すように、現機内搬送最終紙Ｓ４、すなわち予約済み用紙における最上流の用紙（１−１１）が最終排出ページＳ２に設定される。この図８Ａ〜図８Ｃに示すパターンが第２パターンとなる。さらに、制御部２００は、図８Ｃに示すように、図５のステップＳ２１の処理に用いるリカバリページＳ１を、ヤレ紙Ｓ３のページ（１−３）に設定する。
【００７６】
また、ステップＳ３６及びステップＳ３７の処理で設定された最終排出ページＳ２が、上述する図４及び図５のフローチャートにおけるステップＳ１６及びステップＳ２６の処理で用いられる。そして、この最終排出ページＳ２までがヤレ検出時に搬送が停止されるまでに処理される用紙である。
【００７７】
ステップＳ３６又はステップＳ３７における最終排出ページＳ２の設定処理が終了すると、制御部２００は、現在の状態がヤレ検出済み状態であるか否かを判断する（ステップＳ３８）。ステップＳ３８の処理において制御部２００は、現在の状態がヤレ検出済み状態ではないと判断した場合（ステップＳ３８のＮＯ判定）、後述するステップＳ４０の処理を行う。
【００７８】
また、ステップＳ３８の処理において制御部２００は、現在の状態がヤレ検出済み状態であると判断した場合（ステップＳ３８のＹＥＳ判定）、現在の用紙がヤレ紙Ｓ３を含む部の次の部の検出ページ、すなわち第２用紙束におけるヤレ紙Ｓ３に相当するページ以降の用紙Ｓ５であるか否かを判断する（ステップＳ３９）。図７Ａに示す例では、第１用紙束である１部目の３ページ目にヤレ紙Ｓ３が検出されている。そのため、第２用紙束のヤレ紙Ｓ３に相当するページの用紙Ｓ５とは、２部目の３ページ目（２−３）となる。
【００７９】
また、現在の用紙が第２用紙束の検出ページ以降の用紙Ｓ５ではない用紙とは、すなわち図７Ａ及び図７Ｂに示す例では、１部目の３ページ目（１−３）から２部目の２ページ目（２−２）である。そして、ステップＳ３９の処理において、現在の用紙が第２用紙束の検出ページ以降の用紙Ｓ５ではないと制御部２００が判断した場合（ステップＳ３９のＮＯ判定）、当該用紙をパージトレイ４６０へ搬送するようにヤレ紙排出装置４０に指示する（ステップＳ４１）。すなわち、図７Ａ及び図７Ｂに示す、１部目の３ページ目（１−３）から２部目の２ページ目（２−２）は、パージトレイ４６０に排出される。
【００８０】
なお、パージトレイ４６０に排出された１部目の３ページ目（１−３）から２部目の２ページ目（２−２）までの枚数は、ジョブに要求された１束分の用紙束の枚数と同じになる。そのため、メモリ２５０には、ヤレ束Ｑ１の部数として「１」がカウントされる。
【００８１】
また、図８Ａ及び図８Ｂに示す第２パターンでは、最終排出ページＳ２が１部目の１１ページ目（１−１１）であるため、ステップＳ３９の処理は、必ずＮＯ判定となる。そのため、１部目の３ページ目（１−３）から１１ページ（１−１１）は、パージトレイ４６０に排出される。すなわち、ヤレ紙Ｓ３が発生した際に、機内に残る用紙が全てパージトレイ４６０に排出される。
【００８２】
なお、本例では、ステップＳ４１の処理において、ヤレ紙排出装置４０のパージトレイ４６０に排出する例を説明したが、これに限定されるものではなく、後処理装置５０のサブトレイ５９０に搬送するように指示してもよい。
【００８３】
また、ステップＳ３９の処理において、現在の用紙が第２用紙束のヤレ紙Ｓ３に相当するページ以降の用紙Ｓ５であると制御部２００が判断した場合（ステップＳ３９のＹＥＳ判定）、それ以降の用紙Ｓは、束処理スタック、すなわち後処理装置５０のスタック部５６０へ搬送するように制御部２００がヤレ紙排出装置４０及び後処理装置５０に指示する（ステップＳ４０）。
【００８４】
次に、制御部２００は、判定結果と搬送指示情報を各装置に通知する（ステップＳ４２）。これにより、第１の画像読取結果受信制御が完了する。また、ステップＳ３２及びステップＳ３３の処理に示すように、ヤレ紙Ｓ３を検出する前もヤレ紙Ｓ３を検出した以降でも各搬送される用紙Ｓに対して画像判定を行っている。これにより、ヤレ紙Ｓ３が検出された後に、再度ヤレ紙Ｓ３が検出される。いわゆる多重ヤレ検出を考慮して、制御部２００は動作している。
【００８５】
そして、図４及び図５に示すステップＳ１６、Ｓ２６の処理において、最終排出ページＳ２が排出されると、ジョブが停止する。その結果、第１パターンでは、図７Ｂ示すように、第１用紙束である１部目の１ページ目（１−１）から２ページ目（１−２）と、第２用紙束である２部目の３ページ目（２−３）から５ページ目（２−５）と、３部目全てのページ（３−１〜３−５）がスタック部５６０に搬送される。なお、ヤレ紙Ｓ３（１−３）よりも下流側である１部目の１ページ目（１−１）から２ページ目（１−２）からなる用紙群Ｐ１は、既にスタック部５６０に搬送されている。そして、この用紙群Ｐ１と、２部目の３ページ目（２−３）から５ページ目（２−５）からなる用紙群Ｐ２によって、ジョブにより要求された１束分の用紙束を作成することができる。
【００８６】
すなわち、第１の動作例の第１パターンによれば、ヤレ紙Ｓ３を含む部の第１用紙束と、次の部である第２用紙束を利用することができる。このように、機内に残る用紙によって有効束を作成することが可能な場合、可能な限り有効束の作成処理を継続させることで、退避領域を設けることなく、画像不良が発見された際に無効となる用紙を削減することができる。
【００８７】
また、上述したように、第１パターンでは、パージトレイ４６０に分別排出された枚数は、ジョブに要求された１束分の用紙束の枚数と同じである。そのため、図７Ｃに示すように、リカバリ動作では、ジョブにより指定された部数の残りの部数に、パージトレイ４６０に分別排出された枚数（ヤレ束Ｑ１を１束分）Ｒ１を追加して行われる。これにより、ジョブの指定部数の用紙束を作成することができる。
【００８８】
さらに、第２パターンでは、図４及び図５に示すステップＳ１６、Ｓ２６の処理において、最終排出ページＳ２が排出されると、図８Ｂに示すように１部目の１ページ目（１−１）と２ページ目（１−２）がスタック部５６０に搬送される。そして、１部目の３ページ目をリカバリページＳ１とすることで、残りの用紙を画像形成することにより、ジョブの残部数をリカバリすることができる。
【００８９】
［第２の動作例］
次に、図９〜図１２を参照して第２の動作例について説明する。
図９は、第２の画像読取結果受信制御を示すフローチャートである。図１０は、第２の画像読取結果受信制御における第１パターンを示す説明図である。
【００９０】
図９に示すように、まず、制御部２００は、画像読取装置３０から画像読取結果情報を受信する（ステップＳ５１）。次に、画像読取結果情報に基づいて、制御部２００は、現在の用紙Ｓの画像判定を行い（ステップＳ５２）、用紙Ｓに画像不良が発生している（ＮＧ）か、画像不良が発生していない（ＯＫ）か否かを判断する（ステップＳ５３）。
【００９１】
ステップＳ５３の処理において、制御部２００は、ＯＫであると判断した場合（ステップＳ５３のＹＥＳ判定）、後述するステップＳ５８の処理を行う。
【００９２】
また、ステップＳ５３の処理において、制御部２００は、ＯＫでないと判断した場合（ステップＳ５３のＮＯ判定）、ヤレ検出状態済み状態をセットし、画像不良が発生したヤレ紙Ｓ３のページ及びヤレ紙Ｓ３を含む第１用紙束の部をメモリ２５０に記憶する（ステップＳ５４）。
【００９３】
次に、制御部２００は、第１用紙束の束区切りまでの残り枚数Ｋが機内搬送残枚数Ｔよりも少ない（Ｋ＜Ｔ）か否かを判断する（ステップＳ５５）。図１０Ａに示す例では、５枚束作成のジョブであり、機内搬送残枚数Ｔが９枚である例を示している。また、図１０Ａに示すように、１部目の３ページ目（１−３）にヤレ紙Ｓ３が発生した場合、束切りまでの残り枚数Ｋは、ヤレ紙Ｓ３である３ページ目（１−３）と、ヤレ紙Ｓ３を含む第１用紙束である１部目の４ページ目（１−４）及び５ページ目（１−５）の３枚となる。その結果、図１０Ａに示す例では、制御部２００は、束区切りまでの残り枚数Ｋが機内搬送残枚数Ｔよりも少ない（Ｋ＜Ｔ）であると判断する（ステップＳ５５のＹＥＳ判定）。
【００９４】
次に、制御部２００は、現機内搬送最終紙Ｓ４の部の最終ページを、最終排出ページＳ２に設定する（ステップＳ５６）。そして、図９Ｂに示すように、この現機内搬送最終紙Ｓ４を含む用紙束の３部目の最終ページ（３−５）が最終排出ページＳ２となる。この図１０Ａ〜図１０Ｃに示すパターンが第２の動作例における第１パターンとなる。
【００９５】
また、制御部２００は、図１０Ｃに示すように、図５のステップＳ２１の処理に用いるリカバリページＳ１を、ヤレ紙Ｓ３を含む１部目の最初のページ（１−１）に設定する。
【００９６】
また、制御部２００は、束区切りまでの残り枚数Ｋが機内搬送残枚数Ｔよりも多い（Ｋ≧Ｔ）であると判断した場合（ステップＳ５５のＮＯ判定）、制御部２００は、最終排出ページＳ２を、現機内搬送最終紙Ｓ４に設定する（ステップＳ５７）。さらに、制御部２００は、図８Ｃに示すように、図５のステップＳ２１の処理に用いるリカバリページＳ１を、ヤレ紙Ｓ３のページ（１−３）に設定する。
【００９７】
また、ステップＳ５６及びステップＳ５７の処理で設定された最終排出ページＳ２が、上述する図４及び図５のフローチャートにおけるステップＳ１６及びステップＳ２６の処理で用いられる。そして、この最終排出ページＳ２までがヤレ検出時に搬送が停止されるまでに処理される用紙である。
【００９８】
ステップＳ５６又はステップＳ５７における最終排出ページＳ２の設定処理が終了すると、制御部２００は、現在の状態がヤレ検出済み状態であるか否かを判断する（ステップＳ５８）。ステップＳ５８の処理において制御部２００は、現在の状態がヤレ検出済み状態ではないと判断した場合（ステップＳ５８のＮＯ判定）、後述するステップＳ６０の処理を行う。
【００９９】
また、ステップＳ５８の処理において制御部２００は、現在の状態がヤレ検出済み状態であると判断した場合（ステップＳ５８のＹＥＳ判定）、最終排出ページＳ２が現機内搬送最終紙Ｓ４の部の最終ページであるか否かを判断する（ステップＳ５９）。なお、ステップＳ５７における第２パターンでは、最終排出ページＳ２は、現機内搬送最終紙Ｓ４が最終排出ページＳ２に設定されるため、ステップＳ５９の処理は、必ずＮＯ判定となる。そのため、第２パターンでは、制御部２００は、用紙をパージトレイ４６０へ搬送するようにヤレ紙排出装置４０に指示する（ステップＳ６１）。
【０１００】
これに対して、ステップＳ５６の処理において、第１パターンでは、最終排出ページＳ２が、現機内搬送最終紙Ｓ４の部の最終ページに設定されているため、ステップＳ５９の処理は、必ずＹＥＳ判定とする。そして、第１パターンでは、制御部２００は、用紙Ｓを束処理スタック、すなわち後処理装置５０のスタック部５６０へ搬送するようにヤレ紙排出装置４０及び後処理装置５０に指示する（ステップＳ６０）。
【０１０１】
したがって、図１０Ｂに示すように、第１パターンでは、最終排出ページＳ２までが全ての用紙が後処理装置５０のスタック部５６０に排出される。そして、スタック部５６０には、ヤレ紙Ｓ３を含む第１用紙束であるヤレ束Ｑ１と、正常束である２部目の用紙束Ｘ１及び３部目の用紙束Ｘ２（以下、単に正常束Ｘ１と称す）が積載される。スタック部５６０に積載されたヤレ束Ｑ１の数は、１束であるため、メモリ２５０には、ヤレ束Ｑ１の部数として「１」がカウントされる。
【０１０２】
次に、制御部２００は、判定結果と搬送指示情報を各装置に通知する（ステップＳ４２）。これにより、第２の画像読取結果受信制御が完了する。
【０１０３】
そして、図１０Ｃに示すように、第２の動作例の第１パターンでは、リカバリ動作において、ジョブにより指定された部数の残りの部数に加えて、メモリ２５０にカウントされたヤレ束Ｑ１の部数（１束分）Ｒ１を追加して行われる。これにより、ジョブの指定部数の用紙束を作成することができる。
【０１０４】
また、この第２の動作例における第１パターンによっても、機内に残る用紙によって有効束を作成することが可能な場合、可能な限り有効束の作成処理を継続させることで、退避領域を設けることなく無効となる用紙を削減することができる。
【０１０５】
上述したように、スタック部５６０には、ヤレ紙Ｓ３を含むヤレ束Ｑ１と、正常束Ｘ１が積載されているため、無効束であるヤレ束Ｑ１をスタック部５６０又は排出トレイ５８０から取り除く必要がある。そのため、制御部２００は、操作表示パネル２４０に何部目にヤレ束Ｑ１が存在するかを表示させて、ユーザーにヤレ束Ｑ１の位置を報知する。また、制御部２００は、ヤレ束Ｑ１に対する後処理を正常束Ｘ１に対する後処理と異なる処理を行うように、後処理装置５０に指示をする。
【０１０６】
図１１Ａ及び図１１Ｂは、ヤレ束Ｑ１と正常束Ｘ１に行う後処理の一例を示す説明図であり、図１１Ａは正常束Ｘ１を示し、図１１Ｂは、ヤレ束Ｑ１を示している。
図１１Ａに示すように、正常束Ｘ１に対しては、中折り処理を行ったあとに、ステープルＭ１によって中綴じ処理を行う。これに対して、図１１Ｂに示すように、ヤレ束Ｑ１に対しては、中折り処理のみを行う。
【０１０７】
図１２Ａ及び図１２Ｂは、ヤレ束Ｑ１と正常束Ｘ１に行う後処理の他の例を示す説明図であり、図１２Ａは正常束Ｘ１を示し、図１２Ｂは、ヤレ束Ｑ１を示している。
図１２Ａに示すように、正常束Ｘ１に対しては、右上のコーナーをステープルＭ１によって並行綴じを行う。これに対して、図１２Ｂに示すように、ヤレ束Ｑ１に対しては、右上のコーナーをステープルＭ１によって斜め綴じを行う。
【０１０８】
なお、正常束Ｘ１及びヤレ束Ｑ１に対して行う処理は、上述したものに限定されるものではなく、正常束Ｘ１に対してパンチ処理を行う場合、ヤレ束Ｑ１に対してはパンチ処理を行わない等その他各種の処理を適用することができるものである。
【０１０９】
図１１及び図１２に示すように、ヤレ束Ｑ１に対する後処理を、正常束Ｘ１とは異なる後処理とすることで、正常束Ｘ１の中から容易にヤレ束Ｑ１を見つけることができ、ヤレ束Ｑ１を取り除く作業を容易に行うことができる。
【０１１０】
２−３．リカバリ動作の設定方法
次に、上述したリカバリ動作の設定方法について図１３〜図１５を参照して説明する。
図１３は、操作表示パネル２４０に表示される表示例を示す説明図である。
【０１１１】
さらに、ヤレ紙Ｓ３が検出されたことを早期にユーザーに知らせる異常検出優先パターンと、ヤレ紙Ｓ３が検出されたことを全ジョブが終了した際にユーザーに知らせるジョブの生産性優先パターンが考えられる。異常検出優先パターンでは、ヤレ紙Ｓ３を検出後の停止からのリカバリ動作の開始は、ユーザーによる「手動」でリカバリ動作を開始させることが好ましい。また、生産性優先パターンでは、ヤレ紙Ｓ３を検出後の停止からのリカバリ動作の開始は、ヤレ紙Ｓ３の検出に対して画像形成システム１が「自動」でリカバリ動作を開始させることが好ましい。
【０１１２】
そのため、制御部２００は、リカバリ動作を自動で開始する自動パターンと、リカバリ動作をユーザーによる手動で開始する手動パターンとを有している。そして、ジョブを開始する前に、制御部２００は、例えば、図１３に示すような表示例を操作表示パネル２４０に表示させる。図１３に示すように、画像異常検出動作の「有り」と「無し」を表示させ、ユーザーに画像異常検出動作を行うか否かを選択させる。また、検出後リカバリとして、「自動」と「手動」の設定項目を表示させ、検出後のリカバリ動作をユーザーに選択させる。
【０１１３】
また、リカバリ動作における「異常検出優先パターン」と、「生産性優先パターン」の切り替えを画像形成システム１で判断させてもよい。図１４は、リカバリ動作パターンの決定判断処理を示すフローチャートである。
【０１１４】
図１４に示すフローチャートでは、ジョブの残り部数に応じて、リカバリ動作を、「異常検出優先パターン（手動パターン）」と「生産性優先パターン（自動パターン）」を切り替えている。図１４に示すように、まず、制御部２００は、ヤレ紙Ｓ３を検出した後の、ジョブの残り部数が１０部以上であるか否かを判断する（ステップＳ８１）。なお、ステップＳ８１の処理では、閾値として「１０部」としたが、閾値は「１０部」に限定されるものではなく、ユーザーによって任意に設定できるものである。
【０１１５】
ステップＳ８１の処理において、残り部数が１０部未満であると制御部２００が判断した場合（ステップＳ８１のＮＯ判定）、制御部２００は、自動でリカバリするように設定する（ステップＳ８２）。また、ステップＳ８１の処理において、残り部数が１０部以上であると制御部２００が判断した場合（ステップＳ８１のＹＥＳ判定）、制御部２００は、手動でリカバリするように設定する。これにより、リカバリ動作パターンの決定判断処理が終了する。
【０１１６】
３．ガイダンスメッセージ例
次に、各動作パターンとヤレ紙の排出形態における操作表示パネル２４０に表示されるガイダンスメッセージ例について図１５を参照して説明する。
図１５は、ガイダンスメッセージ例を示す説明図である。
【０１１７】
図１５における「自動／手動」は、リカバリ動作パターンを示している。また、「ヤレ束有／無」における「ヤレ束有」は、スタック部５６０又は排出トレイ５８０に正常束Ｘ１と共にヤレ束Ｑ１が混在する例を示している。すなわち、上述した図１０に示す第２の画像読取結果受信制御の第１パターンである。そして、「ヤレ束有／無」における「ヤレ束無」は、スタック部５６０又は排出トレイ５８０には、ヤレ束Ｑ１が存在しない例を示している。すなわち、上述した図７に示す第１の画像読取結果受信制御の第１パターンである。
【０１１８】
図１５に示すように、リカバリ動作パターンが「自動」の場合、生産性優先パターンであるため、ガイダンスメッセージを表示するタイミングは、ジョブ終了時である。また、リカバリ動作パターンが「手動」の場合、異常検出優先パターンであるため、ガイダンスメッセージを表示するタイミングは、リカバリ動作を開始する前である。
【０１１９】
さらに、リカバリ動作パターンが「自動」で、「ヤレ束有／無」における「ヤレ束有」の場合、ガイダンスメッセージ例として「不良冊子があります。＊＊部目の冊子を取り除いて下さい。」と表示される。そして、リカバリ動作パターンが「自動」で、「ヤレ束有／無」における「ヤレ束無」の場合では、ガイダンスメッセージ例として「不良画像用紙をパージトレイに排出しました。」と表示される。
【０１２０】
また、リカバリ動作パターンが「手動」で、「ヤレ束有／無」における「ヤレ束有」の場合、ガイダンスメッセージ例として「不良冊子がありました。＊＊部目の冊子を取り除いて下さい。」と表示される。そして、リカバリ動作パターンが「手動」で、「ヤレ束有／無」における「ヤレ束無」の場合では、ガイダンスメッセージ例として「不良画像が発生しました。パージトレイの用紙を確認してください。」と表示される。
【０１２１】
なお、ガイダンスメッセージ例は、図１５に示すもので限定されるものではなく、その他各種のガイダンスメッセージが表示されるものである。
【０１２２】
以上、画像形成システムの実施の形態例について、その作用効果も含めて説明した。しかしながら、本発明の画像形成システムは、上述の実施の形態に限定されるものではなく、特許請求の範囲に記載した発明の要旨を逸脱しない範囲内で種々の変形実施が可能である。
【０１２３】
上述した実施の形態例では、４組の画像形成ユニットを用いてカラー画像を形成する構成としたが、本発明にかかる画像形成装置としては、１つの画像形成ユニットを用いて単色画像を形成する構成としてもよい。
【０１２４】
さらに、不良画像の判定動作及び不良画像用紙の排出動作等を制御する制御部として、画像形成装置２０の制御部２００を適用した例を説明したが、これに限定されるものではない。例えば、制御部としては、ジョブ情報を画像形成装置２０に出力する外部装置（クライアント端末、管理装置サーバ等や、モバイル端末）の制御部を適用してもよい。
【０１２５】
また、図１３に示す設定項目や図１５に示すガイダンスメッセージを表示させる表示部として、画像形成装置２０の操作表示パネル２４０を適用した例を説明したが、これに限定されるものではない。表示部としては、ジョブ情報を画像形成装置２０に出力する外部装置（クライアント端末、管理装置サーバ等や、モバイル端末）の表示部を適用してもよい。
【０１２６】
また、上記の各構成要素、機能、処理部等は、それらの一部又は全部を、例えば集積回路の設計などによりハードウエアで実現してもよい。また、上記の各構成要素、機能等は、プロセッサがそれぞれの機能を実現するプログラムを解釈し、実行することによりソフトウエアで実現してもよい。各機能を実現するプログラム、テーブル、ファイル等の情報は、メモリやハードディスク、ＳＳＤ（Solid State Drive）等の記録装置、又はＩＣカード、ＳＤカード、ＤＶＤ等の記録媒体に置くことができる。
【符号の説明】
【０１２７】
１…画像形成システム、  １０…大容量給紙ユニット、  ２０…画像形成装置、  ３０…画像読取装置、  ４０…ヤレ紙排出装置、  ５０…後処理装置、  ２００…制御部、  ２３０…用紙搬送部、  ２４０…操作表示パネル、  ２５０…メモリ、  ２６０…画像処理部、  ２７０…画像形成部、  ３６０…画像読取部、  ４６０…パージトレイ、  ５６０…スタック部、  ５７０…後処理部、  ５８０…排出トレイ、  ５９０…サブトレイ、  Ｑ１…ヤレ束、  Ｓ１…リカバリページ、  Ｓ２…最終排出ページ、  Ｓ３…ヤレ紙、  Ｓ４…現機内搬送最終紙
【図１】
2020059240.tif 000003
【図２】
2020059240.tif 000004
【図３】
2020059240.tif 000005
【図４】
2020059240.tif 000006
【図５】
2020059240.tif 000007
【図６】
2020059240.tif 000008
【図７】
2020059240.tif 000009
【図８】
2020059240.tif 000010
【図９】
2020059240.tif 000011
【図１０】
2020059240.tif 000012
【図１１】
2020059240.tif 000013
【図１２】
2020059240.tif 000014
【図１３】
2020059240.tif 000015
【図１４】
2020059240.tif 000016
【図１５】
2020059240.tif 000017